(57)【特許請求の範囲】
【請求項１】
第１基板に複数の第１ＬＥＤ及び第１定電流回路を実装した第１ＬＥＤモジュールと、第２基板に複数の第２ＬＥＤ及び第２定電流回路を実装した第２ＬＥＤモジュールと、前記第１ＬＥＤモジュール及び前記第２ＬＥＤモジュールを支持する支持部材とを備え、
前記第１基板は、単位面積当たりにｍ個（ｍは２以上の自然数）の前記第１ＬＥＤを実装するように構成され、
前記第２基板は、前記第１基板よりも大きく、且つ前記単位面積当たりにｎ個（ｎはｍよりも小さい自然数）の前記第２ＬＥＤを実装するように構成され、
前記第１定電流回路は、前記複数の第１ＬＥＤに第１電流を流すように構成され、
前記第２定電流回路は、前記複数の第２ＬＥＤに第２電流を流すように構成され、
さらに、前記第２定電流回路は、前記ｎ個の第２ＬＥＤから放射される光束と、前記ｍ個の第１ＬＥＤから放射される光束とを等しくする大きさの前記第２電流を流すように構成されることを特徴とするＬＥＤ照明器具。
【請求項２】
前記第１基板及び前記第２基板は、長方形状に形成され、
前記第１基板は、長手方向に沿って、第１ピッチで前記複数の第１ＬＥＤを並べて実装するように構成され、
前記第２基板は、長手方向に沿って、前記第１ピッチよりも広い第２ピッチで前記複数の第２ＬＥＤを並べて実装するように構成され、
前記支持部材は、前記第１基板及び前記第２基板を長手方向に揃えて一列に並べるようにして前記第１ＬＥＤモジュール及び前記第２ＬＥＤモジュールを支持するように構成されることを特徴とする請求項１記載のＬＥＤ照明器具。
【発明の詳細な説明】
【技術分野】
【０００１】
本発明は、ＬＥＤ照明器具に関し、より詳細には、複数のＬＥＤモジュールを有するＬＥＤ照明器具に関する。
【背景技術】
【０００２】
従来例として、特許文献１に記載されている照明器具を例示する。特許文献１記載の照明器具は、筐体と、パネルと、複数のＬＥＤと、基板とからなるＬＥＤモジュールを備えている。特許文献１記載の照明器具は、例えばビルの壁面等において直線上に配置され、複数のＬＥＤを直線状に発光させることにより、演出照明に用いられている。
【先行技術文献】
【特許文献】
【０００３】
【特許文献１】特開２００６−１９６６８４号公報
【発明の概要】
【発明が解決しようとする課題】
【０００４】
ところで、特許文献１記載の従来例のように、複数の照明器具が用いられる場合、各照明器具の明るさ（光束）が大きくばらつくことは好ましくない。
【０００５】
本発明は、上記課題に鑑みてなされており、均斉度の低下を抑えることを目的とする。
【課題を解決するための手段】
【０００６】
本発明のＬＥＤ照明器具は、第１基板に複数の第１ＬＥＤ及び第１定電流回路を実装した第１ＬＥＤモジュールと、第２基板に複数の第２ＬＥＤ及び第２定電流回路を実装した第２ＬＥＤモジュールと、前記第１ＬＥＤモジュール及び前記第２ＬＥＤモジュールを支持する支持部材とを備え、前記第１基板は、単位面積当たりにｍ個（ｍは２以上の自然数）の前記第１ＬＥＤを実装するように構成され、前記第２基板は、前記第１基板よりも大きく、且つ前記単位面積当たりにｎ個（ｎはｍよりも小さい自然数）の前記第２ＬＥＤを実装するように構成され、前記第１定電流回路は、前記複数の第１ＬＥＤに第１電流を流すように構成され、前記第２定電流回路は、前記複数の第２ＬＥＤに第２電流を流すように構成され、さらに、前記第２定電流回路は、前記ｎ個の第２ＬＥＤから放射される光束と、前記ｍ個の第１ＬＥＤから放射される光束とを等しくする大きさの前記第２電流を流すように構成されることを特徴とする。
【発明の効果】
【０００７】
本発明のＬＥＤ照明器具は、均斉度の低下を抑えることができるという効果がある。
【図面の簡単な説明】
【０００８】
【図１】本実施形態に係るＬＥＤ照明器具を示し、図１Ａは中継用の第１ＬＥＤモジュールの正面図、図１Ｂは入力用の第１ＬＥＤモジュールの正面図、図１Ｃは中継用の第２ＬＥＤモジュールの正面図、図１Ｄは入力用の第２ＬＥＤモジュールの正面図である。
【図２】本実施形態に係るＬＥＤ照明器具を示し、図２Ａは第１ＬＥＤモジュールの回路図、図２Ｂは第２ＬＥＤモジュールの回路図である。
【図３】本実施形態に係るＬＥＤ照明器具を示し、図３Ａは２つの第１ＬＥＤモジュールを繋いだ状態の正面図、図３Ｂは２つの第２ＬＥＤモジュールを繋いだ状態の正面図、図３Ｃは１つの第１ＬＥＤモジュールと２つの第２ＬＥＤモジュールを繋いだ状態の正面図、図３Ｄは２つの第１ＬＥＤモジュールと２つの第２ＬＥＤモジュールを繋いだ状態の正面図である。
【図４】図４Ａは本実施形態に係るＬＥＤ照明器具の正面図、図４Ｂは本実施形態に係るＬＥＤ照明器具の右側面図である。
【図５】本実施形態に係るＬＥＤ照明器具のケースと第１ＬＥＤモジュールの断面図である。
【図６】本実施形態に係るＬＥＤ照明器具のエンドキャップを示し、図６Ａは正面図、図６Ｂは右側面図、図６Ｃは背面図、図６Ｄは平面図である。
【図７】本実施形態に係るＬＥＤ照明器具のエンドキャップの斜視図である。
【図８】本実施形態に係るＬＥＤ照明器具を示し、図８Ａは取付部材に取り付けられた状態の一部省略した正面図、図８Ｂは取付部材に取り付けられた別の状態の一部省略した正面図である。
【図９】本実施形態に係るＬＥＤ照明器具が用いられる冷蔵ショーケースの正面図である。
【発明を実施するための形態】
【０００９】
以下、本実施形態に係るＬＥＤ照明器具について図面を参照して説明する。なお、以下の実施形態で説明する構成は本発明の一例にすぎない。本発明は、以下の実施形態に限定されず、本発明に係る技術的思想を逸脱しない範囲であれば、設計等に応じて種々の変更が可能である。
【００１０】
本実施形態のＬＥＤ照明器具は、第１ＬＥＤモジュール１と、第２ＬＥＤモジュール２と、支持部材とを備える。
【００１１】
第１ＬＥＤモジュール１は、図１Ａ及び図１Ｂに示すように、複数個（図示例では２１個）の第１ＬＥＤ１０と、第１基板１１とを有する。さらに、第１ＬＥＤモジュール１は、第１定電流回路１２（図２参照）と、雄コネクタ１３又は端子台１５と、雌コネクタ１４とを有する。
【００１２】
第１基板１１は、長方形の平板状に形成されている。ここで、第１基板１１の長手方向の長さ寸法を「１単位」と定義する。なお、「１単位」は、例えば、およそ３０［ｃｍ］程度が好ましい。ただし、「１単位」は３０［ｃｍ］に限定されず、３０［ｃｍ］より長くてもよいし、あるいは、３０［ｃｍ］より短くてもよい。
【００１３】
第１ＬＥＤ１０は、例えば、白色光を放射する白色ＬＥＤ（白色発光ダイオード）である。２１個の第１ＬＥＤ１０は、第１基板１１の表面における短手方向の中央に、長手方向に沿って等間隔に並ぶように実装される。ここで、第１基板１１に実装された第１ＬＥＤ１０の間隔を第１ピッチＰ１と呼ぶ（図１Ａ参照）。ただし、両端の２個の第１ＬＥＤ１０は、第１ピッチＰ１よりも若干大きい間隔を空けて実装されてもよい。
【００１４】
また、第１基板１１の長手方向の一方の端における短手方向の両端近くに、一対の雌コネクタ１４が実装される。さらに、第１基板１１の長手方向の他方の端における短手方向の両端近くには、一対の雄コネクタ１３又は一対の端子台１５が実装される。雄コネクタ１３は、雌コネクタ１４と対をなしてコネクタを構成し、雌コネクタ１４と挿抜可能に接続される。一方、端子台１５は、直流電源から直流電圧・直流電流が供給される被覆電線の導体が電気的に接続される（図４Ａ参照）。なお、以下の説明においては、第１基板１１に端子台１５が実装されている第１ＬＥＤモジュール１を、入力用の第１ＬＥＤモジュール１Ａと呼ぶ（図１Ａ参照）。一方、第１基板１１に雄コネクタ１３が実装されている第１ＬＥＤモジュール１を、中継用の第１ＬＥＤモジュール１Ｂと呼ぶ（図１Ｂ参照）。
【００１５】
第２ＬＥＤモジュール２は、図１Ｃ及び図１Ｄに示すように、複数個（図示例では２８個）の第２ＬＥＤ２０と、第２基板２１とを有する。さらに、第２ＬＥＤモジュール２は、第２定電流回路２２（図２参照）と、雌コネクタ２４及び端子台２５若しくは雄コネクタ２３とを有する。
【００１６】
第２基板２１は、長方形の平板状に形成されている。ここで、第２基板２１の長手方向の長さ寸法は、第１基板１１の長手方向の寸法（１単位）の１．５倍とされている。例えば、１単位を３０［ｃｍ］とすると、第２基板２１の長手方向の寸法は、３０［ｃｍ］×１．５＝４５［ｃｍ］となる。なお、第２基板２１の短手方向の長さ寸法は、第１基板１１の短手方向の長さ寸法と等しくされている。
【００１７】
第２ＬＥＤ２０は、第１ＬＥＤ１０と同じ白色ＬＥＤである。２８個の第２ＬＥＤ２０は、第２基板２１の表面における短手方向の中央に、長手方向に沿って等間隔に並ぶように実装される。ここで、第２基板２１に実装された第２ＬＥＤ２０の間隔を第２ピッチＰ２と呼ぶ（図１Ｄ参照）。ただし、両端の２個の第２ＬＥＤ２０は、第２ピッチよりも若干大きい間隔を空けて実装されてもよい。
【００１８】
また、第２基板２１の長手方向の一方の端における短手方向の両端近くに、一対の雌コネクタ２４が実装される。さらに、第２基板２１の長手方向の他方の端における短手方向の両端近くには、一対の雄コネクタ２３又は一対の端子台２５が実装される。雄コネクタ２３は、雌コネクタ２４と対をなしてコネクタを構成し、雌コネクタ２４と挿抜可能に接続される。ただし、雄コネクタ２３は、第１ＬＥＤモジュール１の雄コネクタ１３と同一であり、かつ雌コネクタ２４は、第１ＬＥＤモジュール１の雌コネクタ１４と同一である。ゆえに、雄コネクタ２３は、いずれの雌コネクタ１４、２４とも挿抜可能に接続される。同様に、雄コネクタ１３も、いずれの雌コネクタ１４、２４とも挿抜可能に接続される。なお、以下の説明においては、第２基板２１に雌コネクタ２４及び端子台２５が実装されている第２ＬＥＤモジュール２を、入力用の第２ＬＥＤモジュール２Ａと呼ぶ（図１Ｃ参照）。一方、第２基板２１に雄コネクタ２３のみが実装されている第２ＬＥＤモジュール２を、中継用の第２ＬＥＤモジュール２Ｂと呼ぶ（図１Ｄ参照）。
【００１９】
ここで、第２ＬＥＤモジュール２の第２ピッチＰ２は、図１Ａ〜図１Ｄに示すように、第１ＬＥＤモジュール１の第１ピッチＰ１よりも大きく（広く）されている（Ｐ１＜Ｐ２）。つまり、第１ＬＥＤモジュール１の第１基板１１は、単位面積（例えば、１単位の長さに対応する面積）当たりに２１個の第１ＬＥＤ１０を実装するように構成されている。これに対して、第２ＬＥＤモジュール２の第２基板２１は、単位面積（１単位の長さに対応する面積）当たりに１９個の第２ＬＥＤ２０を実装するように構成されている。したがって、第１ＬＥＤモジュール１に流す電流（第１電流Ｉ１）と、第２ＬＥＤモジュール２に流す電流（第２電流Ｉ２）とが等しい場合、単位面積当たりの光束は、第１ＬＥＤモジュール１よりも第２ＬＥＤモジュール２の方が少なくなる。ゆえに、第１ＬＥＤモジュール１の単位面積当たりの光束と、第２ＬＥＤモジュール２の単位面積当たりの光束とを同程度とするためには、第２電流Ｉ２を第１電流Ｉ１よりも大きくする必要がある。
【００２０】
第１定電流回路１２は、図２Ａに示すように、７個の第１ＬＥＤ１０の直列回路ごとに１つずつ設けられる。つまり、第１ＬＥＤモジュール１は、２１個の第１ＬＥＤ１０を有しているので、合計３つの第１定電流回路１２を備えればよい。これら３つの第１定電流回路１２は、全て共通の回路構成を有している。なお、３つの第１定電流回路１２を区別するときは、１２Ａ、１２Ｂ、１２Ｃの符号を付す。これら３つの第１定電流回路１２Ａ、１２Ｂ、１２Ｃは、一対の雄コネクタ１３（又は一対の端子台１５）及び一対の雌コネクタ１４に対して、電気的に並列接続されている。
【００２１】
第１定電流回路１２は、２つのバイポーラトランジスタＱ１１、Ｑ１２と、３つの抵抗器Ｒ１１、Ｒ１２、Ｒ１３とを有する。ただし、図２Ａにおいては、代表して第１定電流回路１２Ａの回路素子にのみ符号を付し、他の２つの第１定電流回路１２Ｂ、１２Ｃの回路素子の符号を省略している。
【００２２】
一方のバイポーラトランジスタＱ１１（以下、第１トランジスタと呼ぶ）のコレクタが第１ＬＥＤ１０の直列回路の一端（負極）と電気的に接続され、第１トランジスタＱ１１のエミッタが抵抗器Ｒ１３の一端と電気的に接続される。抵抗器Ｒ１３の他端は、低電位側（負極側）の雌コネクタ１４及び低電位側（負極側）の雄コネクタ１３又は端子台１５と電気的に接続される。また、第１トランジスタＱ１１のベースは、抵抗器Ｒ１２の一端と電気的に接続される。
【００２３】
他方のバイポーラトランジスタＱ１２（以下、第２トランジスタと呼ぶ）のコレクタが抵抗器Ｒ１２の他端及び抵抗器Ｒ１１の一端と電気的に接続される。第２トランジスタＱ１２のエミッタは、低電位側の雌コネクタ１４及び低電位側の雄コネクタ１３又は端子台１５と電気的に接続される。第２トランジスタＱ１２のベースは、第１トランジスタＱ１１のエミッタと電気的に接続される。なお、抵抗器Ｒ１１の他端は、第１ＬＥＤ１０の直列回路の他端（正極）、並びに、高電位側（正極側）の雌コネクタ１４及び高電位側（正極側）の雄コネクタ１３又は端子台１５と電気的に接続される。
【００２４】
第１ＬＥＤモジュール１は、一対の端子台１５（又は一対の雄コネクタ１３）間に所定の直流電圧が印加されている場合、第１ＬＥＤ１０の３つの直列回路がそれぞれ導通する。そして、３つの第１定電流回路１２Ａ、１２Ｂ、１２Ｃは、抵抗器Ｒ１３に流れる電流（第１電流Ｉ１）を一定とするように動作する。つまり、第１電流Ｉ１の大きさは、抵抗器Ｒ１３の抵抗値に応じて決まる。なお、第１定電流回路１２は、第１基板１１の裏面（第１ＬＥＤ１０の実装面と反対側の面）に実装されることが好ましい。
【００２５】
第２定電流回路２２は、図２Ｂに示すように、７個の第２ＬＥＤ２０の直列回路ごとに１つずつ設けられる。つまり、第２ＬＥＤモジュール２は、２８個の第２ＬＥＤ２０を有しているので、合計４つの第２定電流回路２２を備えればよい。これら４つの第２定電流回路２２は、全て共通の回路構成を有している。なお、４つの第２定電流回路２２を区別するときは、２２Ａ、２２Ｂ、２２Ｃ、２２Ｄの符号を付す。これら４つの第２定電流回路２２Ａ、２２Ｂ、２２Ｃ、２２Ｄは、一対の雄コネクタ２３（又は一対の端子台２５）及び一対の雌コネクタ２４に対して、電気的に並列接続されている。
【００２６】
第２定電流回路２２は、２つのバイポーラトランジスタＱ２１、Ｑ２２と、３つの抵抗器Ｒ２１、Ｒ２２、Ｒ２３とを有する。ただし、図２Ｂにおいては、代表して第２定電流回路２２Ａの回路素子にのみ符号を付し、他の３つの第２定電流回路２２Ｂ、２２Ｃ、２２Ｄの回路素子の符号を省略している。
【００２７】
一方のバイポーラトランジスタＱ２１（以下、第３トランジスタと呼ぶ）のコレクタが第２ＬＥＤ２０の直列回路の一端（負極）と電気的に接続され、第３トランジスタＱ２１のエミッタが抵抗器Ｒ２３の一端と電気的に接続される。抵抗器Ｒ２３の他端は、低電位側（負極側）の雌コネクタ２４若しくは低電位側（負極側）の雄コネクタ２３又は端子台２５と電気的に接続される。また、第３トランジスタＱ２１のベースは、抵抗器Ｒ２２の一端と電気的に接続される。
【００２８】
他方のバイポーラトランジスタＱ２２（以下、第４トランジスタと呼ぶ）のコレクタが抵抗器Ｒ２２の他端及び抵抗器Ｒ２１の一端と電気的に接続される。第４トランジスタＱ２２のエミッタは、低電位側の雌コネクタ２４若しくは低電位側の雄コネクタ２３又は端子台２５と電気的に接続される。第４トランジスタＱ２２のベースは、第３トランジスタＱ２１のエミッタと電気的に接続される。なお、抵抗器Ｒ２１の他端は、第２ＬＥＤ２０の直列回路の他端（正極）、並びに、高電位側（正極側）の雌コネクタ２４若しくは高電位側（正極側）の雄コネクタ２３又は端子台２５と電気的に接続される。
【００２９】
第２ＬＥＤモジュール２は、一対の端子台２５（又は一対の雄コネクタ２３）間に所定の直流電圧が印加されている場合、第２ＬＥＤ２０の４つの直列回路がそれぞれ導通する。そして、４つの第２定電流回路２２Ａ、２２Ｂ、２２Ｃ、２２Ｄは、抵抗器Ｒ２３に流れる電流（第２電流Ｉ２）を一定とするように動作する。つまり、第２電流Ｉ２の大きさは、抵抗器Ｒ２３の抵抗値に応じて決まる。なお、第２定電流回路２２は、第２基板２１の裏面（第２ＬＥＤ２０の実装面と反対側の面）に実装されることが好ましい。
【００３０】
上述のように構成される第１ＬＥＤモジュール１及び第２ＬＥＤモジュール２は、図３Ａ〜図３Ｄに示すように、複数のパターンで組み合わせて使用される。例えば、図３Ａに示すように、入力用の第１ＬＥＤモジュール１Ａの雌コネクタ１４と、中継用の第１ＬＥＤモジュール１Ｂの雄コネクタ１３とが接続されれば、１単位の２倍の長さ（２単位）のＬＥＤモジュールが構成される。あるいは、図３Ｂに示すように、入力用の第２ＬＥＤモジュール２Ａの雌コネクタ２４と、中継用の第２ＬＥＤモジュール２Ｂの雄コネクタ２３とが接続されれば、１単位の３倍の長さ（３単位）のＬＥＤモジュールが構成される。また、図３Ｃに示すように、入力用の第２ＬＥＤモジュール２Ａと中継用の第２ＬＥＤモジュール２Ｂとの間に、中継用の第１ＬＥＤモジュール１Ｂが挿入されれば、１単位の４倍の長さ（４単位）のＬＥＤモジュールが構成される。さらに、図３Ｄに示すように、入力用の第２ＬＥＤモジュール２Ａと中継用の第２ＬＥＤモジュール２Ｂとの間に、中継用の第１ＬＥＤモジュール１Ｂが２つ挿入されれば、１単位の５倍の長さ（５単位）のＬＥＤモジュールが構成される。
【００３１】
ここで、図３Ｃや図３Ｄに示すパターンにおいては、第１ＬＥＤモジュール１と第２ＬＥＤモジュール２が混在しており、両者の単位面積当たりの光束が大きく異なっていると、全体としての均斉度が低下してしまう。ただし、既に説明したように、第１ＬＥＤモジュール１の単位面積当たりの光束と、第２ＬＥＤモジュール２の単位面積当たりの光束とを同程度とするためには、第２電流Ｉ２を第１電流Ｉ１よりも大きくする必要がある。
【００３２】
そこで、本実施形態では、第１定電流回路１２の抵抗器Ｒ１３の抵抗値よりも、第２定電流回路２２の抵抗器Ｒ２３の抵抗値が小さくされることにより、第２電流Ｉ２を第１電流Ｉ１よりも大きくしている。一例として、第１電流Ｉ１を６７［ｍＡ］としたとき、第２電流Ｉ２を７０［ｍＡ］とするように、抵抗器Ｒ２３の抵抗値が設定される。
【００３３】
上述のように、本実施形態における第２定電流回路２２は、ｎ個（１９個）の第２ＬＥＤ２０から放射される光束と、ｍ個（２１個）の第１ＬＥＤ１０から放射される光束とを等しくする大きさの第２電流Ｉ２を流すように構成される。したがって、図３Ｃや図３Ｄに示すように第１ＬＥＤモジュール１と第２ＬＥＤモジュール２が混在していても、単位面積当たりの光束が等しいので、均斉度の低下を抑えることができる。さらに、本実施形態のＬＥＤ照明器具は、必要な明るさを維持しつつ、第２ＬＥＤ２０の個数を減らしてコストの低下を図ることができる。
【００３４】
次に、本実施形態における支持部材を説明する。支持部材は、図４Ａに示すように、ケース３と、一対のエンドキャップ４とで構成される。
【００３５】
ケース３は、ポリカーボネート樹脂などの透光性を有する合成樹脂材料によって長尺の筒状に形成される。そして、ケース３の内部には、第１ＬＥＤモジュール１及び第２ＬＥＤモジュール２の少なくともいずれか一方が収容される（図５参照）。なお、以下の説明においては、図５において、上下、左右及び前後の各方向を規定する。詳しくは、ケース３の長手方向（紙面に垂直な方向）を前後方向とし、基板（第１基板１１及び第２基板２１）の厚み方向を上下方向とし、基板の短手方向を左右方向とする。
【００３６】
ケース３は、下壁３０、上壁３１、一対の側壁３２を有する。下壁３０は、下向きに突出する半円筒形状に形成される。下壁３０の内周面（上面）には、細かな凹凸３００が形成されている（図５参照）。ゆえに、第１ＬＥＤモジュール１及び第２ＬＥＤモジュール２から放射される光は、下壁３０を透過する際に拡散されることになる。
【００３７】
一対の側壁３２は、下壁３０の左右両端から上向きに立ち上がるように、下壁３０と一体に形成される。また、各側壁３２の上部には、前後方向から見て、外側に向かって突出するＶ字形状の引掛部３２１が形成されている（図５参照）。また、各側壁３２には、第１基板１１及び第２基板２１を支持する支持片３２０がそれぞれ一体に形成されている。支持片３２０は、側壁３２の内側面における、上下方向のほぼ中央の位置から斜め上向きに突出するように形成されている。そして、第１基板１１（及び第２基板２１）は、図５に示すように、第１ＬＥＤ１０（及び第２ＬＥＤ２０）を下壁３０に対向させる向きで、短手方向の両端部を支持片３２０の先端に載せるようにして支持片３２０に支持される。
【００３８】
上壁３１は、長尺の矩形板状であって、長手方向に沿った両端で各側壁３２と連結されるように形成される。上壁３１の左右方向の中央部には、下向きに凹む凹部３１０が、前後方向に沿い、かつ全長に渡って形成されている（図４Ａ参照）。また、上壁３１の上面には、一対の第１突部３１１が前後方向に沿い、かつ全長に渡って形成されている。これらの第１突部３１１は、凹部３１０の左右方向の両端から上向きに突出している（図５参照）。さらに、上壁３１の下面には、一対の第２突部３１２が前後方向に沿い、かつ全長に渡って形成されている。これらの第２突部３１２は、左右方向の両端近くから下向きに突出している（図５参照）。上壁３１は、これら各一対の第１突部３１１及び第２突部３１２により、上下方向及び左右方向の曲げ強度の向上が図られている。
【００３９】
エンドキャップ４は、図７に示すように、シリコーンゴムなどの可撓性を有する材料によって、有底筒状に形成される。エンドキャップ４は、ケース３の前後方向（長手方向）の両端部に装着されてケース３内を密閉するように構成される（図４Ａ参照）。なお、以下の説明においては、図７において、上下、左右及び前後の各方向を規定する。
【００４０】
エンドキャップ４は、エンド下壁４０、エンド上壁４１、一対のエンド側壁４２を有する。エンド下壁４０は、下向きに突出する半円筒形状に形成される。一対のエンド側壁４２は、エンド下壁４０の左右両端から上向きに立ち上がるように、エンド下壁４０と一体に形成される。ただし、各エンド側壁４２の上半分は、前後方向から見て、外側に向かって突出するＶ字形状に形成されている（図６Ａ参照）。
【００４１】
エンド上壁４１は、前後方向に沿った両端で各エンド側壁４２と連結されるように形成される。エンド上壁４１の左右方向の中央部には、下向きに凹む凹部４１０が、前後方向に沿い、かつ全長に渡って形成されている（図７参照）。また、エンド上壁４１の上面には、一対の第３突部４１１が前後方向に沿い、かつ全長に渡って形成されている。これらの第３突部４１１は、凹部４１０の左右方向の両端から上向きに突出している（図７参照）。さらに、エンド上壁４１の下面における凹部４１０の左右両側に、前後方向を長手方向とする溝４１２が、それぞれ設けられている。
【００４２】
エンド底壁４３は、エンド下壁４０、エンド上壁４１、エンド側壁４２で囲まれる筒状の空間の一端（例えば後端）を塞ぐように形成される（図６Ａ参照）。エンド底壁４３の後面には、前後方向から見て十字状、かつ前向きに凹む凹所４３０が形成されている（図６Ｂ〜図６Ｄ参照）。また、エンド底壁４３の内底面（前面）には、一対の突起４３１及び突片４３２が、前向きに突出するように形成されている（図６Ａ及び図７参照）。突起４３１は、図６Ａに示すように、直方体状に形成される。また、突片４３２は、図６Ａ及び図７に示すように、上下方向から見て矩形であり、かつ弧状に湾曲する形状に形成される。エンド底壁４３は、突片４３２により、前後方向、上下方向及び左右方向の曲げ強度の向上が図られている。なお、２つのエンドキャップ４のうち、片方のエンドキャップ４のエンド底壁４３には、それぞれに電源ケーブル５の被覆電線が挿通される一対の孔４３３が貫通している（図６Ａ及び図６Ｃ参照）。
【００４３】
そして、エンドキャップ４は、ケース３の前後方向の端部を外側から覆うように、ケース３に装着される（図４Ａ参照）。つまり、エンドキャップ４のエンド下壁４０がケース３の下壁３０の外側面に密着し、エンドキャップ４のエンド上壁４１がケース３の上壁３１の外側面に密着し、エンドキャップ４のエンド上壁４１がケース３の側壁３２の外側面と密着する。その結果、エンドキャップ４とケース３の端部との隙間から、水などがケース３内に浸入し難くなるという利点がある。
【００４４】
電源ケーブル５は、２本の被覆電線と、これら２本の被覆電線を覆って保護する保護チューブ５０と、２本の被覆電線の先端に設けられるプラグコネクタ５１とを有する。保護チューブ５０は、筒状の熱収縮チューブで構成される。プラグコネクタ５１は、対となるレセプタクルコネクタと挿抜可能に接続される。なお、レセプタクルコネクタは、直流電源装置の出力ケーブルの先端に設けられる。直流電源装置は、従来周知のスイッチング電源回路を有し、電力系統から供給される交流電圧（実効値１００［Ｖ］又は２００［Ｖ］）を、例えば、２４［Ｖ］の直流電圧に変換して出力するように構成される。
【００４５】
本実施形態のＬＥＤ照明器具は、第１ＬＥＤモジュール１及び第２ＬＥＤモジュール２の少なくともいずれか一方をケース３内に収容し、ケース３の両端にエンドキャップ４をそれぞれ装着することで組み立てられる。ただし、電源ケーブル５の２本の被覆電線の導体は、入力用の第１ＬＥＤモジュール１Ａの端子台１５又は入力用の第２ＬＥＤモジュール２Ａの端子台２５と電気的に接続される。そして、本実施形態のＬＥＤ照明器具は、直流電源装置から電源ケーブル５を介して直流電圧・直流電流が供給されることにより、第１ＬＥＤモジュール１及び第２ＬＥＤモジュール２を発光（点灯）させる。ここで、第１ＬＥＤモジュール１及び第２ＬＥＤモジュール２から放射される光（光束）は、ケース３の下壁３０の凹凸３００で拡散される。そのため、本実施形態のＬＥＤ照明器具は、照明空間に照射する光（光束）の均斉度の向上を図ることができる。
【００４６】
上述のように本実施形態のＬＥＤ照明器具は、第１基板１１に複数の第１ＬＥＤ１０及び第１定電流回路１２を実装した第１ＬＥＤモジュール１を備える。また、本実施形態のＬＥＤ照明器具は、第２基板２１に複数の第２ＬＥＤ２０及び第２定電流回路２２を実装した第２ＬＥＤモジュール２と、第１ＬＥＤモジュール１及び第２ＬＥＤモジュール２を支持する支持部材とを備える。第１基板１１は、単位面積当たりにｍ個（例えば、ｍ＝１９）の第１ＬＥＤ１０を実装するように構成される。第２基板２１は、第１基板１１よりも大きく、且つ単位面積当たりにｎ個（例えば、ｎ＝２８）の第２ＬＥＤ２０を実装するように構成される。第１定電流回路１２は、複数の第１ＬＥＤ１０に第１電流Ｉ１を流すように構成される。第２定電流回路２２は、複数の第２ＬＥＤ２０に第２電流Ｉ２を流すように構成される。さらに、第２定電流回路２２は、ｎ個の第２ＬＥＤ２０から放射される光束と、ｍ個の第１ＬＥＤ１０から放射される光束とを等しくする大きさの第２電流Ｉ２を流すように構成される。
【００４７】
本実施形態のＬＥＤ照明器具は上述のように構成され、第１ＬＥＤモジュール１と第２ＬＥＤモジュール２が混在していても、単位面積当たりの光束が等しいので、全体としての均斉度の低下を抑えることができる。
【００４８】
また、本実施形態のＬＥＤ照明器具において、第１基板１１及び第２基板２１は、長方形状に形成されることが好ましい。第１基板１１は、長手方向に沿って、第１ピッチＰ１で複数の第１ＬＥＤ１０を並べて実装するように構成されることが好ましい。第２基板２１は、長手方向に沿って、第１ピッチＰ１よりも広い第２ピッチＰ２で複数の第２ＬＥＤ２０を並べて実装するように構成されることが好ましい。支持部材（ケース３及び一対のエンドキャップ４）は、第１基板１１及び第２基板２１を長手方向に揃えて一列に並べるようにして第１ＬＥＤモジュール１及び第２ＬＥＤモジュール２を支持するように構成されることが好ましい。
【００４９】
本実施形態のＬＥＤ照明器具が上述のように構成されれば、第１ＬＥＤモジュール１と第２ＬＥＤモジュール２を適当に組み合わせることで任意の寸法のＬＥＤ照明器具が実現できる。
【００５０】
ところで、本実施形態のＬＥＤ照明器具は、図８Ａ及び図８Ｂに示すように、取付部材６を用いて任意の場所に設置される。取付部材６は、固定板６０、第１ばね片６１、第２ばね片６２を備える。固定板６０は、矩形平板状に形成される。固定板６０の中央には、円形のねじ挿通孔が貫通している。第１ばね片６１は、Ｚ字状に形成され、固定板６０の一端と連結されている。第１ばね片６１は、外向きに凹んだ引掛凹部６１０を有している。第２ばね片６２は、第１ばね片６１と同様に、外向きに凹んだ第１引掛凹部６２０と、同じく外向きに凹んだ第２引掛凹部６２１とを有し、固定板６０の他端と連結されている。
【００５１】
ＬＥＤ照明器具は、一方の側壁３２の引掛部３２１を第１ばね片６１の引掛凹部６１０に引っ掛け、他方の側壁３２の引掛部３２１を第２ばね片６２の第１引掛凹部６２０に引っ掛けて取付部材６に取り付けられる（図８Ａ参照）。あるいは、ＬＥＤ照明器具は、一方の側壁３２の引掛部３２１を第１ばね片６１の引掛凹部６１０に引っ掛け、他方の側壁３２の引掛部３２１を第２ばね片６２の第２引掛凹部６２１に引っ掛けて取付部材６に取り付けられる（図８Ｂ参照）。なお、図８Ａに示すように、ケース３は、上壁３１に設けられた凹部３１０によって、固定ねじ６３の頭部６３０との干渉を回避することができる。
【００５２】
ここで、本実施形態のＬＥＤ照明器具は、図９に示す冷蔵ショーケース７に用いられてもよい。冷蔵ショーケース７は、スーパーマーケットやコンビニエンスストアなどの店舗に設置され、商品を陳列しながら冷蔵するように構成されている。冷蔵ショーケース７は、前方に開放された陳列室７０を有する。陳列室７０には、商品を陳列するための陳列棚７１が、上下方向に間隔を空けて複数段（図示例では４段）設けられている。ＬＥＤ照明器具は、各段の陳列棚７１における前方の下面側に、複数個の取付部材６を用いて取り付けられる。つまり、ＬＥＤ照明器具は、各陳列棚７１に陳列されている商品を、それぞれの上段の陳列棚７１の前方かつ上方から照明するように設置される。
【００５３】
このように本実施形態のＬＥＤ照明器具が冷蔵ショーケース７の照明に用いられれば、陳列棚７１に陳列された商品を均一に照明することができる。
【符号の説明】
【００５４】
１  第１ＬＥＤモジュール
２  第２ＬＥＤモジュール
３  ケース（支持部材）
４  エンドキャップ（支持部材）
１０  第１ＬＥＤ
１１  第１基板
１２  第１定電流回路
２０  第２ＬＥＤ
２１  第２基板
２２  第２定電流回路
Ｐ１  第１ピッチ
Ｐ２  第２ピッチ
【図１】
0006467755.tif 000002
【図２】
0006467755.tif 000003
【図３】
0006467755.tif 000004
【図４】
0006467755.tif 000005
【図５】
0006467755.tif 000006
【図６】
0006467755.tif 000007
【図７】
0006467755.tif 000008
【図８】
0006467755.tif 000009
【図９】
0006467755.tif 000010